(57)【特許請求の範囲】
【請求項１】
前扉及び該前扉によって開閉される筐体と、前記筐体の内部に前面側から取り付けられる板状部材とを備えた遊技機の筐体構造において、
前記板状部材が、筐体の前面側にねじ穴を有し、筐体の背面側に、前記筐体の背面側の部分に係入される係入部、及び、前記筐体の背面側の部分と当接する当接部を有し、
前記筐体の前面側から前記筐体の背面側に亘る本体形状を有し、前記板状部材に螺着される所定の装置が設けられ、
前記板状部材の前面側に、前記装置を螺着するためのねじ穴が形成され、
前記筐体の背面側に、前記装置の背面側が係入する装置用被係入部、及び、前記装置の背面側が当接する装置用被当接部を形成し、
前記被係入部は、前記筐体の背面側の部分に形成された当該筐体の背面側の部分を貫通する開口であることを特徴とする遊技機の筐体構造。
【請求項２】
前扉及び該前扉によって開閉される筐体と、前記筐体の内部に前面側から取り付けられる板状部材とを備えた遊技機の筐体構造において、
前記筐体の底板に取り付けられる底板金具と、
前記底板金具より上方に位置し、前記底板金具の取り付けに先立って取り付け可能な棚板と、を備え、
前記板状部材が、前記底板金具からなり、
この底板金具が、筐体の前面側にねじ穴を有し、筐体の背面側に、前記筐体の背面側の部分に係入される係入部、及び、前記筐体の背面側の部分と当接する当接部を有し、かつ、当該筐体の背面側にねじ穴を備えず、
前記筐体の前面側のねじ穴が、前記棚板の前面側の端部より前面側に位置し、当該ねじ穴の上方に前記棚板が存在しないことを特徴とする遊技機の筐体構造。
【発明の詳細な説明】
【技術分野】
【０００１】
本発明は、遊技機の筐体構造に関し、特に、板状部材などを筐体に容易に取り付けることのできる遊技機の筐体構造に関する。
【背景技術】
【０００２】
遊技場には、パチンコ機やスロットマシンなどの遊技機が設置されている。
上記遊技機のうち、特に、スロットマシンは、前扉及び該前扉によって開閉される筐体と、この筐体の内部に前面側から取り付けられる板状部材とを備えた筐体構造を有している。
次に、従来のスロットマシンの筐体構造について、図面を参照して説明する。
【０００３】
（従来のスロットマシンの筐体構造）
図７は、従来のスロットマシンの前扉を開いた状態の概略外観斜視図を示している。
図７において、従来のスロットマシン１００は、前扉１０１及びこの前扉１０１によって開閉される筐体１１０と、筐体１１０の内部に前面側から取り付けられる板状部材（通常、底板金具１２０や棚板１３０など）とを備えた筐体構造を有している。
なお、スロットマシン１００は、ドラムユニット１０３の複数のリールを回転させることによって遊技媒体であるメダルを獲得することができる回胴式遊技機を構成している。
【０００４】
上記筐体１１０は、内部に、メダル払出装置１０２、ドラムユニット１０３、制御部１０４、及び、電源装置１４０などが取り付けられている。
メダル払出装置１０２は、底板金具１２０上に前後方向に移動可能に載置されており、電源装置１４０は、底板金具１２０上に固定されている。また、ドラムユニット１０３は、棚板１３０上に固定されており、制御部１０４は、筐体１１０の背板１１４の上部に固定されている。
【０００５】
図８は、従来のスロットマシンの筐体構造を説明するための、要部の概略外観斜視図を示している。
また、図９は、従来のスロットマシンの筐体構造を説明するための、要部の概略側面方向断面図を示している。
図８、９において、筐体１１０は、木製の天板１１１、一対の側板１１２、底板１１３及び背板１１４、並びに、金属製の底板金具１２０及び棚板１３０などを有している。
この筐体１１０は、天板１１１、一対の側板１１２、底板１１３及び背板１１４が股釘（図示せず）などを用いて組み立てられており、前面側が開口したほぼ箱形状である。また、背板１１４は、筐体１１０内部の熱を放出するために、複数の通気口１１５、１１６などが形成されている。
なお、一対の側板１１２は、前面側の端面が、垂直方向から約５°だけ背面側に傾斜している。
【０００６】
底板金具１２０は、底板１１３の形状に対応したほぼ矩形状であり、中央部にほぼ正方形状の開口部１２２が形成されており、開口部１２２の周囲の四箇所に十字穴付き皿ねじ１２３の挿入されるねじ穴（図示せず）が形成されている。また、前面側の左側には、電源装置１４０を螺着するための雌ねじ１２４が形成されている。さらに、底板金具１２０は、ほぼ中央の左右両側に、メダル払出装置１０２が前後方向にスムーズに移動するようにガイドする一対のガイドレール１２１が形成されている。
さらに、底板金具１２０は、前面側かつ左右両側の端部が上方に折り曲げられており、また、右側に切欠が形成されている。なお、これらの形状（折り曲げられた形状や切欠など）は、特に限定されるものではない。
【０００７】
上記底板金具１２０は、背面側の端面が背板１１４と当接し、かつ、左右両側の折り曲げられた端部が、側板１１２とほぼ当接する状態で、底板１１３上に載置され、エアドライバー１０５などを用いて、十字穴付き皿ねじ１２３が締め込まれる。なお、十字穴付き皿ねじ１２３は、通常、底板１１３に下面側から取り付けられたメタルブッシュ（鬼目ナットとも呼ばれる。（図示せず））に締め込まれる。
また、底板金具１２０は、ガイドレール１２１によってメダル払出装置１０２の移動をガイドする機能を有するとともに、アース板としても機能し、たとえば、メダル払出装置１０２内のモータ（図示せず）と電源装置１４０とを電気的に接続している。
【０００８】
電源装置１４０は、通常、上方向及び背面方向に長い直方体状であり、前面の下部に、ねじ穴（図示せず）の形成された固定板４２が突設されている。また、電源装置１４０を固定するために、背板１１４は、下部の左側に、上下方向に長いほぼ矩形状の凹部１０６が形成されており、凹部１０６には、電源装置１４０の熱を外部に放出するための電源装置用通気口１０７が形成されている。
この電源装置１４０は、背面側の端部が凹部１０６に係止され、かつ、背面が背板１１４とほぼ当接するように、前面側から筐体１１０内に挿入される。そして、固定板４２のねじ穴に挿入されたねじ４３が雌ねじ１２４に締め込まれることにより、電源装置１４０は底板金具１２０に固定される。
【０００９】
棚板１３０は、一対の側板１１２の間に嵌め込まれる大きさを有するほぼ矩形状であり、左右両側の端部が上方に折り曲げられており、前面側の端部が下方に折り曲げられており、さらに、背面側の端部が上方に折り曲げられている。中央部の左右両側には、棚板１３０の基部の側面をガイドする一対のサイドガイド３５が形成されている。また、折り曲げられた左右両側の各端部には、ねじ３２の挿入される一対のねじ穴（図示せず）が形成されている。さらに、前面側の中央には、ドラムユニット１０３を固定するための雌ねじ３４が形成されており、折り曲げられた背面側の端部には、ドラムユニット１０３の背面側に突出した一対のボス（図示せず）が嵌入されるボス用孔３３が形成されている。
【００１０】
上記棚板１３０は、折り曲げられた左右両側の端部が側板１１２とほぼ当接する状態で、筐体１１０内に挿入され、エアドライバー１０５などを用いて、ねじ３２が締め込まれる。なお、ねじ３２は、通常、側板１１２に外側から取り付けられたメタルブッシュ（鬼目ナットとも呼ばれる。（図示せず））に締め込まれる。
【００１１】
また、本発明に関連する様々な技術が提案されている。
たとえば、特許文献１には、キャビネット部材（筐体）に、内部底面に敷設されてこの内部底面を保護するとともにメダル払出装置を着脱自在に支持する支持板部と、支持板部に一体に繋がって外部アース部材と係脱可能なアース接続部とを有する金属製のベース部材が取り付けられており、アース接続部を外部アース部材に接続させることにより、メダル払出装置がベース部材を介して外部アース部材に電気的に接続されることを特徴とする箱形遊技機の筐体構造の技術が開示されている。
【先行技術文献】
【特許文献】
【００１２】
【特許文献１】特開２００４−２８３２０２号公報
【発明の概要】
【発明が解決しようとする課題】
【００１３】
しかしながら、上述したスロットマシン１００の筐体１１０は、エアドライバー１０５を用いて十字穴付き皿ねじ１２３を締め付ける際（あるいは、十字穴付き皿ねじ１２３を取り外す際）、棚板１３０が障害となり、作業性を向上させることができないといった問題があった。また、特に、背面側の十字穴付き皿ねじ１２３を締め付ける作業（あるいは、十字穴付き皿ねじ１２３を取り外す作業）は、中腰、かつ、前かがみの姿勢で作業しなければならず、作業者によっては、大きな苦痛を強いられる場合があった。
【００１４】
さらに、実際の作業においては、作業環境（作業姿勢などをも含む。）が不適切であると、作業者の集中力が低下し、たとえば、十字穴付き皿ねじ１２３やねじ３２（特に、背面側の十字穴付き皿ねじ１２３やねじ３２）の十字穴を損傷する（通常、なめるとも呼ばれる。）といった不具合が増加し、生産性が低下するといった問題があった。
また、遊技機においては、底板金具１２０や棚板１３０などの再利用可能な部品のリサイクル性を向上させることが要望されており、この要望を効率よく実現するためにも、上記のように十字穴を損傷するといった不具合を防止する必要があった。
なお、特許文献１の技術は、本発明に関連する技術ではあるものの、上記の課題に適用することが困難である。
【００１５】
本発明は、以上のような問題を解決するために提案されたものであり、板状部材などの取り付け及び取り外しを容易に行うことができる遊技機の筐体構造の提供を目的とする。
【課題を解決するための手段】
【００１６】
上記目的を達成するため、本発明の遊技機の筐体構造は、前扉及び該前扉によって開閉される筐体と、前記筐体の内部に前面側から取り付けられる板状部材とを備えた遊技機の筐体構造において、前記板状部材が、筐体の前面側にねじ穴を有し、筐体の背面側に、前記筐体の背面側の部分に係入される係入部、及び、前記筐体の背面側の部分と当接する当接部を有する構成としてある。
【発明の効果】
【００１７】
本発明の遊技機の筐体構造によれば、板状部材などの取り付け及び取り外しを容易に行うことができる。
【図面の簡単な説明】
【００１８】
【図１】本発明の第一実施形態にかかるスロットマシンの筐体構造を説明するための概略斜視図を示している。
【図２】本発明の第一実施形態にかかるスロットマシンの筐体構造の底板金具を説明するための概略分解斜視図を示している。
【図３】本発明の第一実施形態にかかるスロットマシンの筐体構造における、底板金具の取り付け状態を説明するための概略側面方向断面図を示している。
【図４】本発明の第一実施形態にかかるスロットマシンの筐体構造における、電源装置の取り付け状態を説明するための概略側面方向断面図を示している。
【図５】本発明の第二実施形態にかかるスロットマシンの筐体構造を説明するための概略斜視図を示している。
【図６】本発明の第二実施形態にかかるスロットマシンの筐体構造における、棚板の取り付け状態を説明するための概略側面方向断面図を示している。
【図７】従来のスロットマシンの前扉を開いた状態の概略外観斜視図を示している。
【図８】従来のスロットマシンの筐体構造を説明するための、要部の概略外観斜視図を示している。
【図９】従来のスロットマシンの筐体構造を説明するための、要部の概略側面方向断面図を示している。
【発明を実施するための形態】
【００１９】
以下、本発明に係る遊技機の筐体構造の好ましい実施形態について、各図を参照して説明する。
また、上記の遊技機には、パチンコ機、スロットマシン、アレンジボール、雀球など様々な機類があるが、本実施形態では、メダルを遊技媒体とするスロットマシンに本発明を適用した場合について、図面を参照しつつ説明する。
【００２０】
［遊技機の筐体構造の第一実施形態］
図１は、本発明の第一実施形態にかかるスロットマシンの筐体構造を説明するための概略斜視図を示している。
また、図２は、本発明の第一実施形態にかかるスロットマシンの筐体構造の底板金具を説明するための概略分解斜視図を示している。
図１、２において、本実施形態の筐体構造（適宜、筐体１と呼称する。）は、上述したスロットマシン１００の筐体１１０と比べると、底板金具１２０、底板１１３、背板１１４及び電源装置１４０の代わりに、それぞれ底板金具２、底板１３、背板１４及び電源装置４（図４参照）を備えた点などが相違する。なお、本実施形態の他の構成は、筐体１１０とほぼ同様としてある。
したがって、図１、２において、図７、８と同様の構成部分については同一の符号を付して、その詳細な説明を省略する。
【００２１】
底板１３は、上述した底板１１３と比べると、十字穴付き皿ねじ１２３の挿入されるねじ穴の代わりに、前面側の左右両側の二箇所に（すなわち、ねじ穴２２と対応する二箇所に）、ねじ２３の挿入されるねじ穴１３１が穿設されている点などが相違する。また、前面側の左側には、底板１１３と同様に、ねじ４３の挿入される孔１３２が穿設されている。
【００２２】
また、背板１４は、底板金具２の係入部２１と対応する位置に、水平方向に細長い切欠１４１が形成されている。
さらに、背板１４は、上述した背板１１４と比べると、凹部１０６及び電源装置用通気口１０７の代わりに、下部の左側に、上下方向に長いほぼ矩形状の電源装置用通気口１４２が形成されている点などが相違する。この電源装置用通気口１４２は、後述するように、装置用被係入部として機能し、電源装置４の電源装置用係入部４１が係入されるとともに、電源装置４の熱を外部に放出する。また、電源装置用通気口１４２の下方の背板１４の部分は、電源装置４の背面の下部が当接する装置用被当接部として機能する。
なお、本実施形態の棚板１３０は、背面側の下方に僅かに傾斜した状態で取り付けられており、ドラムユニット１０３を容易に取り付けることができる。  
【００２３】
（底板金具）
板状部材としての底板金具２は、底板１３の形状に対応したほぼ矩形状であり、前面側の左右両側の二箇所にねじ穴２２を有し、背面側に、背板１４の切欠１４１に係入される係入部２１、及び、背板１４と当接する当接部２４を有している。上記のねじ穴２２には、ねじ２３が挿入される。
また、係入部２１は、上方から見ると左右方向に細長いほぼ矩形状であり、背面側に突き出ている。この係入部２１は、底板金具２の取り付けられた状態において、上面が切欠１４１の上方端面とほぼ当接する位置にある。すなわち、係入部２１は、切欠１４１に係入されることにより、底板金具２の背面側の部分の上下方向への位置決め（位置固定と呼ぶこともできる。）を行うことができる。
【００２４】
また、前面側の左側には、電源装置４を螺着するための雌ねじ１２４が形成されている。さらに、底板金具２は、ほぼ中央の左右両側に、メダル払出装置１０２が前後方向にスムーズに移動するようにガイドする一対のガイドレール１２１が形成されており、ほぼ中央の背面側に、メダル払出装置１０２の背面側の位置決めを行うストッパー２５が形成されている。このストッパー２５により、メダル払出装置１０２の背面側の位置決めを精度よく行うことができる。
なお、本実施形態では、雌ねじ１２４を形成する構成としてあるが、これに限定されるものではなく、たとえば、図示してないが、ねじ穴を形成し、ねじ４３を上記ねじ穴に挿入し、ナットやメタルブッシュなどに締め込む構成としてもよい。
【００２５】
さらに、底板金具２は、左右両側の端部が上方に折り曲げられ、また、右側に切欠が形成されている。
ここで、好ましくは、底板金具２の少なくとも一側端部（本実施形態では、左側の端部）に、筐体１の前面側から筐体１の背面側に亘って、筐体１の左側の側板１１２に摺接するリブ２６（本実施形態では、上記の上方に折り曲げられた左側の端部）を形成するとよい。そして、このリブ２６が筐体１の左側の側板１１２に摺接しつつ、係入部２１が、筐体１の背板１４の切欠１４１に係入される構成とするとよい。このようにすると、底板金具２を筐体１内に挿入する際、リブ２６を筐体１の左側の側板１１２に摺接させることにより、左右方向の位置決めを容易に行うことができ、係入部２１を容易に切欠１４１に係入させることができる。また、リブ２６によって、側板１１２と摺接する面積が増えるので、よりスムーズに底板金具２を筐体１内に挿入することができる。
【００２６】
また、本実施形態では、底板金具２の右側かつ前面側の端部に、筐体１の右側の側板１１２に摺接するリブ２７（本実施形態では、上記の上方に折り曲げられた右側の端部）を形成するとよい。このリブ２７は、底板金具２が筐体１内に挿入されると、右側の側板１１２と当接するので、底板金具２の取り付け位置精度を向上させることができる。
なお、リブ２６、２７の前面側の部分を、それぞれ側板１１２に螺着してもよく、このようにすると、筐体１の機械的強度を向上させることができる。
また、本実施形態では、リブ２６、２７を形成する構成としてあるが、これに限定されるものではない。たとえば、リブ２６、２７の形成されていない少なくとも一側端部（すなわち、一側の端面）が筐体１の側板１１２に摺接しつつ、係入部２１が、筐体１の背板１４の切欠１４１に係入される構成とするとよい。このようにしても、底板金具２を筐体１内に挿入する際、左右方向の位置決めを容易に行うことができ、係入部２１を容易に切欠１４１に係入させることができる。
なお、上記の形状（折り曲げられた形状や切欠など）は、特に限定されるものではない。
【００２７】
次に、底板金具２の取り付け方法などについて、図面を参照して説明する。
図３は、本発明の第一実施形態にかかるスロットマシンの筐体構造における、底板金具の取り付け状態を説明するための概略側面方向断面図を示している。なお、図３において、（ｂ）は、Ａ部の拡大図を示している。
図２、３に示すように、底板金具２は、通常、左側の端部の折り曲げられた部分が、左側の側板１１２とほぼ当接する状態で、底板１３上に載置され、背面側に挿入される。そして、係入部２１が切欠１４１に係入し、続いて、当接部２４が背板１４と当接する。この際、右側の折り曲げられた端部は、右側の側板１１２とほぼ当接している。
次に、エアドライバー１０５などを用いて、ねじ２３が締め込まれる。なお、ねじ２３は、通常、底板１３に下面側から取り付けられたメタルブッシュ（鬼目ナットとも呼ばれる。（図示せず））に締め込まれる。
【００２８】
このように、底板金具２を取り付ける際、筐体１の前面側から底板金具２を挿入すると、係入部２１によって、底板金具２の背面側が係止され、また、当接部２４によって、前後方向の位置決めをほぼ自動的に行うことができる。また、その後、筐体１の前面側から二本のねじ２３を締め込むだけで、底板金具２を容易に取り付けることができる。また、上記動作を戻ることにより、底板金具２を容易に取り外すことができる。
すなわち、作業性を大幅に向上させることができ、製造原価のコストダウンを図ることができる。また、従来の筐体１１０における背面側の十字穴付き皿ねじ１２３を締め付ける作業（この作業は、中腰、かつ、前かがみの姿勢で作業しなければならず、作業者によっては、大きな苦痛を強いられる場合があった。）から作業者を解放することができる。
【００２９】
また、筐体１は、対向する一対のガイドレール１２１の間に、十字穴付き皿ねじ１２３などが存在しないので、メダル払出装置１０２が前後方向にスムーズに移動する信頼性を向上させることができる。
さらに、筐体１は、係入部２１が切欠１４１に係入すると、仮位置合わせを行うことができ、組立性を向上させることができる。
【００３０】
また、本実施形態では、上述したように、筐体１の底板１３に取り付けられる底板金具２と、底板金具２より上方に位置し、底板金具２の取り付けに先立って取り付けられ、底板金具２の取付時に障害となる所定の部材（棚板１３０）と、を備えている。すなわち、筐体１は、板状部材として、遊技媒体（本実施形態ではメダル）を払い出すメダル払出装置１０２の載置される底板金具２を有しており、まず、遊技を演出するドラムユニット１０３の固定される棚板１３０が筐体１の中段部に取り付けられ、その後、底板金具２が筐体１の下部に取り付けられる構成としてある。
かかる場合であっても、底板金具２のねじ穴２２が、筐体１の前面側に位置することとなり、底板金具２を螺着する際の作業性を向上させることができる。
【００３１】
ここで、好ましくは、筐体１の側板１１２における前面側の端面が、上方かつ背面側に傾斜している（すなわち、側板１１２の前面側の端面が、垂直方向から所定の角度だけ背面側に傾斜している）とよい。上記の所定の角度とは、底板金具２が取り付けられた状態において、ねじ穴２２が棚板１３０の前面側の端部より前面側に位置するようになる角度をいい、通常、５°〜１０°である。
このようにすると、底板金具２をリサイクルするために取り外す場合などにおいて、底板金具２の上方に棚板１３０が取り付けられていても、底板金具２のねじ穴２２の上方に、棚板１３０が存在しないので、ねじを外したりあるいは締める際の作業性を向上させることができる。
すなわち、底板金具２のねじ穴２２が、棚板１３０の前面側の端部より、前面側に位置することとなり、底板金具２を螺着する際、エアドライバー１０５が棚板１３０と緩衝しないので、作業性を向上させることができる。また、エアドライバー１０５を垂直に立てることができるので、ねじ２３の十字穴を損傷させるといった不具合を防止することができ、生産性やリサイクル性などを向上させることができる。
【００３２】
（電源装置）
図４は、本発明の第一実施形態にかかるスロットマシンの筐体構造における、電源装置の取り付け状態を説明するための概略側面方向断面図を示している。なお、図４において、（ｂ）は、Ｂ部の拡大図を示している。
図４において、電源装置４は、前面側に、ねじ４３の挿入されるねじ穴（図示せず）の形成された固定板４２を有し、背面側に、背板１４の電源装置用通気口１４２に係入される電源装置用係入部４１などを有している。また、電源装置４は、背面の下部が、背板１４と当接する電源装置用当接部として機能する。
なお、電源装置用係入部４１や電源装置用当接部は、上記に限定されるものではなく、たとえば、係入部や当接部として機能する装置の背面側の部分であってもよい。  
【００３３】
上記の電源装置４は、通常、上方向及び背面方向に長い直方体状であり、ほぼ筐体１の前面側から筐体１の背面側に亘る本体形状を有し、底板金具２に螺着される。また、電源装置４は、フレームの一部が、突設された固定板４２及び電源装置用係入部４１となっている。電源装置用係入部４１は、プレス成形されたほぼ矩形筒状体であり、長手方向がほぼ水平となるように形成されている。この電源装置用係入部４１は、取り付けられた状態において、上面が電源装置用通気口１４２の上方端面とほぼ当接する位置にあり、かつ、左右方向の端部が、電源装置用通気口１４２の左右方向端面とほぼ当接する位置にある。すなわち、電源装置用係入部４１は、電源装置用通気口１４２に係入されることにより、電源装置４の背面側の部分の上下方向及び左右方向への位置決め（位置固定と呼ぶこともできる。）を行うことができる。
なお、本実施形態では、電源装置用係入部４１の被係入部を、背板１４に形成された電源装置用通気口１４２としてあるが、これに限定されるものではなく、たとえば、筐体１の背面側の部分に形成された開口であってもよい。  
【００３４】
ここで、好ましくは、電源装置用係入部４１が、筐体１の背板１４に形成された電源装置用通気口１４２に係入される構成としてある。
このようにすると、電源装置用通気口１４２を利用して、電源装置用係入部４１を係止することができるので、電源装置用係入部４１を係入するためだけの凹部や切欠など（図示せず）を形成しなくてもすみ、製造原価のコストダウンを図ることができる。
【００３５】
次に、電源装置４の取り付け方法などについて説明する。
電源装置４は、通常、背面側の部分が底板金具２上に載置され、この状態で背面側に移動させられる。そして、上述したように、電源装置用係入部４１が電源装置用通気口１４２に係入し、続いて、背面の下部（この部分が、電源装置４の当接部として機能する。）が背板１４（すなわち、電源装置用通気口１４２の下方の背板１４の部分）と当接する。
次に、エアドライバー１０５などを用いて、ねじ４３が底板金具２の雌ねじ１２４に締め込まれる。
【００３６】
このように、電源装置４を取り付ける際、筐体１の前面側から電源装置４を挿入すると、電源装置用係入部４１によって、電源装置４の背面側の部分が係止され、また、電源装置４の背面の下部によって、前後方向の位置決めが行われる。また、その後、筐体１の前面側から一本のねじ４３を締め込むだけで、電源装置４を容易に取り付けることができる。また、上記動作を戻ることにより、電源装置４を容易に取り外すことができる。
すなわち、作業性などを向上させることができ、製造原価のコストダウンを図ることができる。
なお、電源装置４を固定するための雌ねじ１２４が、棚板１３０の前面側の端部より、前側に位置するとよく、このようにすると、電源装置４を螺着する際、エアドライバー１０５が棚板１３０と緩衝しないので、作業性を向上させることができる。また、エアドライバー１０５を垂直に立てることができるので、ねじ４３の十字穴を損傷させるといった不具合を防止することができる。
【００３７】
以上説明したように、本実施形態の筐体１によれば、底板金具２や電源装置４の取り付け及び取り外しを容易に行うことができ、さらに、生産性やリサイクル性などを向上させることができる。
【００３８】
［遊技機の筐体構造の第二実施形態］
図５は、本発明の第二実施形態にかかるスロットマシンの筐体構造を説明するための概略斜視図を示している。
また、図６は、本発明の第二実施形態にかかるスロットマシンの筐体構造における、棚板の取り付け状態を説明するための概略側面方向断面図を示している。なお、図６において、（ｂ）は、Ｃ部の拡大図を示している。
図５、６において、本実施形態の筐体構造（適宜、筐体１ａと呼称する。）は、上述した第一実施形態の筐体１と比べると、棚板１３０、背板１４及び側板１１２の代わりに、それぞれ棚板３、背板１４ａ及び側板１１２ａを備えた点などが相違する。なお、本実施形態の他の構成は、筐体１とほぼ同様としてある。
したがって、図５、６において、図２、４と同様の構成部分については同一の符号を付して、その詳細な説明を省略する。
【００３９】
背板１４ａは、上述した背板１４と比べると、中段部のほぼ中央に、左右方向に細長いほぼ矩形状の棚板用切欠１４３が形成されている点などが相違する。この棚板用切欠１４３には、棚板３の棚板用係入部３１の先端部が係入される。
また、各側板１１２ａは、上述した側板１１２と比べると、前面側の一箇所にだけ、ねじ３２の挿入されるねじ穴（図示せず）が形成されている点などが相違する。
【００４０】
（棚板）
棚板３は、上述した棚板１３０と比べると、上方に折り曲げられた背面側の端部に、棚板用係入部３１が背面側に延設されている点などが相違する。
この棚板用係入部３１は、上方から見るとほぼ矩形状であり、上記の上方に折り曲げられた背面側の端部に対し、ほぼ直角に折り曲げられている。また、棚板用係入部３１は、左右方向の縁部の前面側に、下方に折り曲げられた補強用側板３１１を有している。これら補強用側板３１１によって、棚板用係入部３１の機械的強度を向上させることができる。また、棚板用係入部３１の先端部は、棚板用切欠１４３に係入され、補強用側板３１１の背面側の端面は、背板１４ａと当接する。
【００４１】
なお、本実施形態では、棚板用係入部３１の先端部が水平となるように折り曲げられているが、これに限定されるものではない。たとえば、折り曲げられていない構造としてもよい。
また、図示してないが、棚板用係入部３１の先端部が、さらに下方に折り曲げられ、この折り曲げられた先端部と補強用側板３１１の背面側の端面との間に、背板１４ａが挟持される構造としてもよく、このようにすると、棚板３の取り付け強度を向上させることができる。
さらに、棚板用係入部３１は、通常、プレス成形により一体的に製造されるが、独立してプレス成形され、溶接などによって接合されてもよい。
【００４２】
次に、棚板３の取り付け方法などについて説明する。
棚板３は、折り曲げられた左右両側の端部が側板１１２ａとほぼ当接する状態で、筐体１ａ内に挿入され、棚板用係入部３１の先端部が棚板用切欠１４３に係入し、続いて、補強用側板３１１の背面側の端面が背板１４ａと当接する。この際、上記の作業は、作業者（図示せず）が両手を使って行うが、棚板用係入部３１の先端部が棚板用切欠１４３に係入されると、棚板３を左手だけで支持することができる（あるいは、棚板用係入部３１と棚板用切欠１４３とのクリアランスを微小（たとえば、０．数ｍｍ〜１．数ｍｍ）に設定すると、両手を離すこともできる。）。また、棚板用係入部３１の先端部が棚板用切欠１４３に係入されると、ねじ３２の挿入されるねじ穴の位置調整を容易に行うことができ、組立性を向上させることができる。
【００４３】
次に、作業者は、右手で、左側のねじ３２を容易に仮締めすることができる。この仮締めによって、棚板３は、筐体１ａに二点で支持されるので、作業者は、左手を棚板３から離すことができる。続いて、作業者は、右手で棚板３の高さ位置を調整しつつ、左手で右側のねじ３２を容易に仮締めすることができる。そして、作業者は、エアドライバー１０５を用いて、仮締めしたねじ３２を本締めする。
なお、上記の作業は一例であり、これに限定されるものではなく、たとえば、仮締めを行わず、磁化されたビットを有するエアドライバー１０５を用いて本締めを行ってもよい。
【００４４】
このように、棚板３を取り付ける際、筐体１ａの前面側から棚板３を挿入すると、棚板用係入部３１の先端部によって、棚板３の背面側が係止され、また、補強用側板３１１によって、前後方向の位置決めが行われる。また、その後、筐体１の前面側から、側板１１２ａの前面側に二本のねじ３２を締め込むだけで、棚板３を取り付けることができる。
すなわち、作業性を大幅に向上させることができ、製造原価のコストダウンを図ることができる。また、従来の棚板１３０における背面側のねじ３２を締め付ける作業、及び、棚板１３０を位置調整する作業（これらの作業は、中腰、かつ、前かがみの姿勢で作業しなければならず、作業者によっては、大きな苦痛を強いられる場合があった。）から作業者を解放することができる。
【００４５】
以上説明したように、本実施形態の筐体１ａによれば、第一実施形態の筐体１とほぼ同様の効果を奏するとともに、棚板３の取り付け及び取り外しを容易に行うことができ、生産性やリサイクル性などをさらに向上させることができる。
【００４６】
以上、本発明の遊技機の筐体構造について、好ましい実施形態などを示して説明したが、本発明に係る遊技機の筐体構造は、上述した実施形態などにのみ限定されるものではなく、本発明の範囲で種々の変更実施が可能であることは言うまでもない。
例えば、一つの係入部２１や一つの棚板用係入部３１を有する構成としてあるが、これに限定されるものではない。たとえば、二以上の係入部２１や二以上の棚板用係入部３１を有する構成としてもよい。このようにすると、底板金具２や棚板３をバランスよく、あるいは、安定性に優れた状態で係止することができる。すなわち、たとえば、底板金具２の背面側の部分が部分的に浮くといった不具合などを効果的に防止することができ、また、棚板３においては、より安定性に優れた状態で係止することができる。
【００４７】
また、係入部２１や棚板用係入部３１は、背板１４の切欠１４１や背板１４ａの棚板用切欠１４３（これらは、背板１４、１４ａを貫通している。）に係入される構成としてあるが、これに限定されるものではない。たとえば、図示してないが、背板を貫通する切欠の代わりに、背板を貫通しない溝や凹部などに係入される構成としてもよく、また、側板１１２や側板１１２ａの背面側の凹部などに係入される構成としてもよい。このようにすると、設計の自由度などを向上させることができる。
さらに、電源装置用係入部４１の被係入部を、背板１４に形成された電源装置用通気口１４２としてあるが、これに限定されるものではない。たとえば、図示してないが、上記被係入部を、背板１４に形成され、背板１４を貫通するスリット状（すなわち、電源装置用係入部４１に対応した形状）の開口としてもよい。これにより、電源装置４の背面を露出させない構造とすることができる。  
【符号の説明】
【００４８】
１、１ａ  筐体
２、１２０  底板金具
３、１３０  棚板
４、１４０  電源装置
１３、１１３  底板
１４、１４ａ、１１４  背板
２１  係入部  
２２  ねじ穴  
２３  ねじ  
２４  当接部  
２５  ストッパー
２６、２７  リブ
３１  棚板用係入部  
３２  ねじ
３３  ボス用孔
３４  雌ねじ
３５  サイドガイド
４１  電源装置用係入部  
４２  固定板  
４３  ねじ  
１００  スロットマシン
１０１  前扉
１０２  メダル払出装置
１０３  ドラムユニット
１０４  制御部
１０５  エアドライバー
１０６  凹部
１０７、１４２  電源装置用通気口
１１０  筐体
１１１  天板
１１２、１１２ａ  側板
１１５、１１６  通気口
１２１  ガイドレール
１２２  開口部
１２３  十字穴付き皿ねじ
１２４  雌ねじ
１３１  ねじ穴
１３２  孔
１４１  切欠
１４３  棚板用切欠
３１１  補強用側板
【図１】
0005470584.tif 000002
【図２】
0005470584.tif 000003
【図３】
0005470584.tif 000004
【図４】
0005470584.tif 000005
【図５】
0005470584.tif 000006
【図６】
0005470584.tif 000007
【図７】
0005470584.tif 000008
【図８】
0005470584.tif 000009
【図９】
0005470584.tif 000010